(57)【要約】  【課題】  蓋体を容器本体に保持させる際、安定して保持させ易く、しかも、製造が容易な蓋付容器を提供する。  【解決手段】  胴部１５及び開口部１６を有する容器本体１２と、開口部１６に対して着脱自在で、開口部１６を開閉する蓋体１４とを備えてなり、容器本体１２には、開口部１６の外形を胴部１５の外形より小さく設けることにより胴部１５の開口部１６側に肩部２２を設け、蓋体１４には、上面２４から上方に突出する略Ｌ字状の取っ手２６を設け、取っ手２６は、上面２４の中心Ｐから偏心した位置から突設されて閉塞状態で上下方向に沿う鉛直部２８と、鉛直部２８から蓋体１４の上面の中心を通る直径方向に沿って蓋体１４の上面２４と離間して形成された水平部３０とを備え、取っ手２６の水平部３０を開口部１６に挿入して開口部１６の内周面に当接させるとともに、蓋体１４の上面２４を肩部２２の外周面に当接させた状態で、蓋体１４が容器本体１２に保持されるように構成した。【選択図】  図３
2005225537.tif 000002
【特許請求の範囲】
【請求項１】
胴部及び該胴部の上部に形成された開口部を有する容器本体と、前記開口部に対して着脱自在で、該開口部を開閉する蓋体とを備えた蓋付容器において、
前記開口部の外形を前記胴部の外形より小さく設けることにより該胴部の前記開口部側に肩部を設け、
前記蓋体には、上面から上方に突出する略Ｌ字状の取っ手を設け、
該取っ手は、前記蓋体の上面の中心から偏心した位置から突設されて前記蓋体の閉塞状態で上下方向に沿う鉛直部と、該鉛直部から前記蓋体の上面の中心を通る直径方向に沿って前記蓋体の上面と離間して形成された水平部とを備え、
前記取っ手の前記水平部を前記開口部に挿入して該開口部の内周面に当接させるとともに、前記蓋体の上面を前記肩部の外周面に当接させた状態で、前記蓋体が前記容器本体に保持されるように構成されたことを特徴とする蓋付容器。
【請求項２】
前記容器本体の胴部が多角形形状を呈し、前記蓋体が前記容器本体に保持される際、前記蓋体の上面が前記胴部の多角形形状の辺部分に当接するように構成されたことを特徴とする請求項１に記載の蓋付容器。
【請求項３】
前記開口部の内周面に弾性部材が配設され、前記蓋体が前記容器本体に保持される際、前記取っ手の水平部が前記弾性部材を弾性変形させた状態で当接することを特徴とする請求項１又は２に記載の蓋付容器。
【発明の詳細な説明】
【技術分野】
【０００１】
この発明は、上部に開口部を有する容器本体と、この開口部を閉塞する別体の蓋体とを備えた蓋付容器に係り、特に、開口部を開口させた状態で蓋体を容器本体に保持できる蓋付容器に関する。
【背景技術】
【０００２】
従来、各種の物品を収容する容器として、上部に大きな開口部を有する容器本体と、この容器本体の開口部を閉塞可能な別体の蓋体とを備えた蓋付容器が多数利用されている。
【０００３】
このような容器では、容器本体と蓋体とが別体に形成されているため、蓋付容器を製造する際、それぞれを別々に作製することができ、蓋体を容器本体に開閉可能に支持するような複雑な機構が不要であるため、安価に製造し易いなどの種々の利点がある。
【０００４】
ところが、このような蓋付容器では、蓋体を開放した際、蓋体が容器本体と完全に分離された状態となるため、蓋体を別の場所に載置しなければならず、邪魔になり易いなどの不便があった。また、載置時に蓋体の内面にゴミ等の異物が付着し易く、蓋体を再び容器本体に装着すると、蓋体に付着したゴミ等の異物が容器本体の内部に入り込み易いなどの不便も考えられた。
【０００５】
そのため、例えば、下記特許文献１では、容器ではなく鍋ではあるが、蓋体の上面に上方に突出して形成された摘み部の側縁に突片を設け、この突片を鍋本体の開口部に係止するようにしている。
【０００６】
また、下記特許文献２には、蓋体の取っ手に設けられた吊掛用鉤状部を利用して、蓋体を鍋本体に引掛けて保持することが記載されている。
【特許文献１】特開平８−１７３３２２号公報
【特許文献２】実開平３−８１０４７号公報
【発明の開示】
【発明が解決しようとする課題】
【０００７】
しかしながら、特許文献１のように鍋の蓋を鍋本体に係止するものでは、蓋体が中心より下方の位置で鍋本体の側面の曲面部分に略直立した状態で吊り下げられるため、蓋体の重心が高くて蓋体を安定して保持させ難いという問題点があった。
【０００８】
また、特許文献２では、蓋体の中心部に設けられた取っ手に吊掛用鉤状部を設け、この吊掛用鉤状部だけで蓋体を鍋の縁に掛けるものであるため、蓋体の中心部だけで蓋体を支持しなければならず、不安定になり易く、やはり、蓋体を安定して保持させることは難しかった。しかも、取っ手の中間位置に吊掛用鉤状部を形成するため、取っ手の形状が複雑で、製造に手間を要するという問題点もあった。
【０００９】
そこで、この発明では、蓋体を容器本体に保持させる際、安定して保持させ易く、しかも、製造が容易な蓋付容器を提供することを課題とする。
【課題を解決するための手段】
【００１０】
上記課題を解決する請求項１に記載の発明は、胴部及び該胴部の上部に形成された開口部を有する容器本体と、前記開口部に対して着脱自在で、該開口部を開閉する蓋体とを備えた蓋付容器において、前記開口部の外形を前記胴部の外形より小さく設けることにより該胴部の前記開口部側に肩部を設け、前記蓋体には、上面から上方に突出する略Ｌ字状の取っ手を設け、該取っ手は、前記蓋体の上面の中心から偏心した位置から突設されて前記蓋体の閉塞状態で上下方向に沿う鉛直部と、該鉛直部から前記蓋体の上面の中心を通る直径方向に沿って前記蓋体の上面と離間して形成された水平部とを備え、前記取っ手の前記水平部を前記開口部に挿入して該開口部の内周面に当接させるとともに、前記蓋体の上面を前記肩部の外周面に当接させた状態で、前記蓋体が前記容器本体に保持されるように構成されたことを特徴とする。
【００１１】
請求項２に記載の発明は、請求項１に記載の構成に加え、前記容器本体の胴部が多角形形状を呈し、前記蓋体が前記容器本体に保持される際、前記蓋体の上面が前記胴部の多角形形状の辺部分に当接するように構成されたことを特徴とする。
【００１２】
請求項３に記載の発明は、請求項１又は２に記載の構成に加え、前記開口部の内周面に弾性部材が配設され、前記蓋体が前記容器本体に保持される際、前記取っ手の水平部が前記弾性部材を弾性変形させた状態で当接することを特徴とする。
【発明の効果】
【００１３】
請求項１に記載の発明によれば、容器本体には開口部の外形を胴部の外形より小さく形成することにより胴部の開口部側に肩部が設けられるとともに、蓋体には上面から上方に突出する略Ｌ字状の取っ手が設けられ、この取っ手が蓋体の閉塞状態で略上下方向に沿う鉛直部と直径方向に沿う水平部とを備えているので、取っ手の水平部を容器本体の開口部に挿入して内周面に当接させるとともに、蓋体の上面を容器本体の肩部の外周面に当接させれば、蓋体を斜めに傾斜させた状態で、蓋体の中心から離れた２つの位置で容器本体に支持させることが可能である。また、鉛直部が蓋体の上面の中心から偏心した位置に突設されるとともに、水平部が蓋体の上面の中心を通る直径方向に延びているので、水平部を容器本体の開口部の内周面に当接させた状態で重心をより低く配置し易いとともに、水平方向の重量バランスも確保することができる。そのため、蓋体を容器本体に安定して保持させることが可能である。しかも、蓋体の取っ手が略Ｌ字状であるため、形状が簡単で、蓋体の製造が容易である。
【００１４】
請求項２に記載の発明によれば、容器本体の胴部が多角形形状を呈し、蓋体が容器本体に保持される際、蓋体の上面が胴部の多角形形状の辺部分に当接するように構成されているので、胴部の水平方向の断面形状が曲面のものに比べ、容器本体に保持された蓋体が水平方向に移動し難く、より蓋体を容器本体に安定して保持することが可能である。
【００１５】
請求項３に記載の発明によれば、開口部の内周面に弾性部材が配設され、蓋体が容器本体に保持される際、取っ手の水平部が弾性部材を弾性変形させた状態で当接するので、蓋体の取っ手の水平部を弾性部材により移動しにくく当接させることができ、より蓋体を容器本体に安定して保持することが可能である。
【発明を実施するための最良の形態】
【００１６】
以下、この発明の実施の形態について説明する。
【００１７】
図１乃至３は、この実施の形態の蓋付容器を示す。
【００１８】
図において、１０は蓋付容器であり、中空のガラス製の容器本体１２とガラス製の蓋体１４とを備えている。
【００１９】
容器本体１２は、有底筒状の胴部１５を備え、上部に上方に向けて開口する開口部１６を有するとともに、下端が底部１８により閉塞されている。この胴部１５は水平方向の断面形状が略六角形の多角形形状を有しており、６個の角部１９及び辺部２０が形成されている。
【００２０】
この容器本体１２の開口部１６の外形は、胴部１５の外形より小さく形成されており、胴部１５の開口部１６側には開口部１６の外周形状より水平方向外側に配置される肩部２２が形成されている。また、内側には略円形の開口貫通孔１７が形成されており、この開口貫通孔１７の端部となる容器本体１２の上端には、略円形の開口鍔部２１が形成されている。
【００２１】
一方、蓋体１４は、容器本体１２の開口部１６に対して着脱自在に開閉できるように形成されており、開口部１６に対応する形状を有し、上面２４から上方に向けて略Ｌ字状の取っ手２６が突設されている。この取っ手２６は、蓋体１４の上面２４の中心Ｐから偏心した位置の上面２４に固着して突設されており、容器本体１２の開口部１６を閉塞するように蓋体１４を開口部１６に装着した状態で略上下方向に沿うように形成された鉛直部２８と、この鉛直部２８から上面２４と離間して水平方向に伸びる水平部３０とを有している。この水平部３０は、上面２４の中心Ｐの上方を通り、蓋体１４の直径方向に形成されている。
【００２２】
この取っ手２６と蓋体１４の上面２４との間の間隙は、開口部１６の開口貫通孔１７の内周面から開口部１６の外周までの水平方向の距離、即ち、開口鍔部２１の水平方向の幅より広く設けられており、同時に、開口部１６の開口貫通孔１７の内周面から胴部１５の肩部２２の外周面までの水平方向の距離より狭く形成されている。
【００２３】
また、この蓋体１４には、容器本体１２の開口鍔部２１に対向するように略同一形状に形成された蓋鍔部３２が設けられ、さらに、蓋体１４の上面２４とは反対側の底面には容器本体１２の開口部１６の開口貫通孔１７内に挿入される嵌合部３４が設けられている。
【００２４】
なお、この蓋体１４と容器本体１２の開口部１６との間には、蓋体１４と容器本体１２とが直接当接することを防止する緩衝材として、樹脂、ゴム等からなる弾性部材３６が配置されている。この弾性部材３６は開口鍔部２１と蓋鍔部３２との間に配置される上部被覆部３８と、開口部１６の開口貫通孔１７の内周面を被覆する内周被覆部４０とを有しており、これらの上部被覆部３８と内周被覆部４０とが一体に成形されて、開口部１６に弾性により装着されている。
【００２５】
このような蓋付容器１０では、容器本体１２の開口部１６を閉塞するように、容器本体１２に蓋体１４を装着するには、蓋体１４の嵌合部３４を容器本体１２の開口貫通孔１７に挿入するとともに、開口鍔部２１と蓋鍔部３２とを弾性部材３６を介して対向させて載置すればよい。
【００２６】
また、このような蓋付容器１０では、容器本体１２の開口部１６を開口させるには、取っ手２６を把持して蓋体１４を開口部１６から脱離させればよい。
【００２７】
そして、この蓋付容器１０では、脱離させた蓋体１４を周囲に載置することもできるが、図３に示すように、容器本体１２に保持させることができる。ここでは、取っ手２６の水平部３０を先端側から開口部１６の開口貫通孔１７に挿入するとともに、蓋体１４の本体部分１４ａを開口部１６の外側に配置し、その状態で、開口部１６の開口貫通孔１７の内周面に水平部３０を当接させるとともに、蓋体１４の上面２４を容器本体１２の肩部２２の外周面に当接させる。これにより、蓋体１４が水平部３０と上面２４との２箇所の離れた位置で容器本体１２に支持されることとなる。
【００２８】
このとき、蓋体１４の上面２４は、容器本体１２の胴部１５の六角形形状の辺部２０に当接する。また、取っ手２６の水平部３０は、容器本体１２の開口部１６の開口貫通孔１７の内周に配置された弾性部材３６の内周被覆部４０を弾性変形させた状態で当接する。
【００２９】
この状態で、開口部１６より大きい胴部１５の肩部２２に蓋体１４の上面２４が当接することにより、蓋体１４の上面２４をやや下側に向けるとともに下方の嵌合部３４をやや上方に向けて、蓋体１４が傾斜して配置され、容器本体１２の開口部１６に安定して保持される。
【００３０】
以上のようにして蓋体１４を容器本体１２に保持させることが可能なこの実施の形態の蓋付容器１０によれば、容器本体１２には開口部１６の外形を胴部１５の外形より小さく設けることにより胴部１５の開口部１６側に肩部が設けられるとともに、蓋体１４には上面２４から上方に突出する略Ｌ字状の取っ手２６が設けられ、この取っ手２６が蓋体１４の閉塞状態で略上下方向となる方向に沿う鉛直部２８と、直径方向に沿う水平部３０とを備えているので、取っ手２６の水平部３０を開口貫通孔１７の内周面に当接させるとともに、蓋体１４の上面２４を容器本体１２の肩部２２の外周面に当接させれば、蓋体１４を斜めに傾斜させた状態で、蓋体１４の中心Ｐから離れた２つの位置で容器本体１２に支持させることができる。
【００３１】
また、蓋体１４の取っ手２６の鉛直部２８が蓋体１４の中心Ｐより偏心した位置に突設されているため、水平部３０を容器本体１２の開口部１６の開口貫通孔１７の内周面に当接させた状態で、蓋体１４の重心をより低い位置に配置することができる。
【００３２】
さらに、取っ手２６の水平部３０が蓋体１４の中心Ｐを通る直径方向に伸びているため、水平部３０を容器本体１２の開口部１６の開口貫通孔１７の内周面に当接させた状態で、水平方向の重量バランスを確保することができる。
【００３３】
そのため、この蓋付容器１０では、容器本体１２に蓋体１４を安定して保持させることが可能である。
【００３４】
しかも、蓋体１４の取っ手２６は略Ｌ字状に形成されており、簡単な形状であるため、ガラス等であっても容易に外観よく形成することが可能で、蓋体１４の製造も容易である。
【００３５】
さらに、容器本体１２の胴部１５が六角形形状を呈しており、蓋体１４を容器本体１２に保持させる際、蓋体１４の上面２４を胴部１５の六角形形状の辺部２０に当接させているので、胴部１５の水平方向の断面形状が円形等に形成された容器などに比べ、容器本体１２に保持された蓋体１４を水平方向に移動し難く当接させることができ、より蓋体１４を容器本体１２に安定して保持することができる。
【００３６】
また、開口部１６の開口貫通孔１７の内周面に弾性部材３６が配設され、蓋体１４を容器本体１２に保持させる際、取っ手２６の水平部３０が弾性部材３６を弾性変形させた状態で当接させることができるので、蓋体１４の取っ手２６の水平部３０を弾性部材３６により移動しにくくすることができ、より蓋体１４を容器本体１２に安定して保持することができる。
【００３７】
なお、上記実施の形態では、胴部１５の水平方向の断面形状が六角形を有する例について説明したが、胴部１５の形状は、３角形、四角形等の他の多角形形状であっても、同様に適用することができる。また、円形、楕円等の他の形状であっても、この発明を利用することは可能である。
【００３８】
また、上記では、ガラス製の容器本体１２及び蓋体１４の例について説明したが、容器本体１２及び蓋体１４の材質は特に限定されるものではなく、適宜変更可能である。
【図面の簡単な説明】
【００３９】
【図１】この発明の実施の形態の蓋付容器の側面図である。
【図２】同実施の形態の蓋付容器の蓋体を示し、（ａ）は側面図、（ｂ）は平面図である。
【図３】同実施の形態の蓋付容器の開口部を開放して蓋体を開口部に保持させた状態を示す部分断面図である。
【符号の説明】
【００４０】
１０  蓋付容器
１２  容器本体
１４  蓋体
１５  胴部
１６  開口部
２０  辺部
２２  肩部
１７  開口貫通孔
２６  取っ手
２４  上面
Ｐ  中心
２８  鉛直部
３０  水平部
３６  弾性部材
【図１】
2005225537.tif 000003
【図２】
2005225537.tif 000004
【図３】
2005225537.tif 000005